(57)【要約】【課題】  防水性に優れかつコストの低い屋根の防水構造の提供。【解決手段】複数の屋根材３，５，……を、各屋根材３，５，……の一側縁部の湾曲部５ｂを隣接する屋根材３，５，……の縁部に重合させた状態で敷設してなる屋根において、各屋根材３，５の重合部６に、防水弾性挟入板４を挟入するとともに、その重合部６を防水弾性被覆板８で被覆し、さらにその防水弾性被覆板８を被覆屋根材９で被覆してなる屋根の防水構造。【選択図】  図４
0003125710.tif 000002
【実用新案登録請求の範囲】
【請求項１】
複数の屋根材を、各屋根材の一側縁部の湾曲部を隣接する屋根材の縁部に重合させた状態で敷設してなる屋根において、各屋根材の重合部に、防水弾性挟入板を挟入するとともに、その重合部を防水弾性被覆板で被覆し、さらにその防水弾性被覆板を被覆屋根材で被覆してなることを特徴とする屋根の防水構造。
【請求項２】
上記防水弾性挟入板が上下面に接着剤層を有し、互いに隣接する屋根材が重合部において該防水弾性挟入板によって接着されていることを特徴とする請求項１記載の屋根の防水構造。
【請求項３】
上記屋根材を、それらの重合部に挟入した上記防水弾性挟入板ごと固定具によって屋根下地に対して固定していることを特徴とする請求項１または２記載の屋根の防水構造。
【請求項４】
上記防水弾性挟入板の幅方向両縁部を、下側の屋根材の縁部と上側の屋根材の湾曲部の縁部に合わせて、それら屋根材の重合部に挟入していることを特徴とする請求項１，２または３記載の屋根の防水構造。
【請求項５】
上記防水弾性被覆板が上下面に接着層を有し、上記屋根材と被覆屋根材とが該防水弾性被覆板によって接着されていることを特徴とする請求項１，２，３または４記載の屋根の防水構造。
【考案の詳細な説明】
【技術分野】
【０００１】
本考案は、屋根の防水構造に関する。
【背景技術】
【０００２】
従来より、複数の鋼板（屋根材）を、各鋼板の一側縁部の湾曲部を隣接する鋼板の縁部に重合させた状態で敷設して構成される屋根の防水構造として、各鋼板のつなぎ目（重合部）を熱可塑性ポリオレフィン（TPO）帯テープで被覆するとともに、その帯テープの両端を熱風溶着装置で融着し、鋼板と一体化させることにより、完全な防水性を確保できるようにしたものが知られている（非特許文献１，２）。
【０００３】
【非特許文献１】北長金日米建材株式会社、”防水工事  プルーフ防水システム”、[online]、[平成１８年７月３日検索]、インターネット＜ＵＲＬ：http://www.jfe-hnk.co.jp/waterproof/index.html＞
【非特許文献２】ＪＦＥ鋼板株式会社、”新商品発売のお知らせ”、[online]、平成１６年１２月２１日、[平成１８年７月３日検索]、インターネット＜ＵＲＬ：http://www.jfe-kouhan.co.jp/shincyaku/news/20050104.pdf＞
【考案の開示】
【考案が解決しようとする課題】
【０００４】
しかし、上記の構造では、高価な熱可塑性ポリオレフィン（ＴＰＯ）帯テープを使用するためにコストが上昇してしまう。
【０００５】
そこで、本考案は、防水性に優れかつコストの低い屋根の防水構造を提供することを課題とする。
【課題を解決するための手段】
【０００６】
請求項１記載の本考案は、複数の屋根材３，５，……を、各屋根材３，５，……の一側縁部の湾曲部５ｂを隣接する屋根材３，５，……の縁部に重合させた状態で敷設してなる屋根において、各屋根材３，５の重合部６に、防水弾性挟入板４を挟入するとともに、その重合部６を防水弾性被覆板８で被覆し、さらにその防水弾性被覆板８を被覆屋根材９で被覆してなる屋根の防水構造である。
【０００７】
請求項２記載の本考案は、上記防水弾性挟入板４が上下面に接着剤層を有し、互いに隣接する屋根材３，５，……が重合部６において該防水弾性挟入板４によって接着されている請求項１記載の屋根の防水構造である。
【０００８】
請求項３記載の本考案は、上記屋根材３，５を、それらの重合部６に挟入した上記防水弾性挟入板４ごと固定具によって屋根下地１に対して固定している請求項１または２記載の屋根の防水構造である。
【０００９】
請求項４記載の本考案は、上記防水弾性挟入板４の幅方向両縁部４’，４”を、下側の屋根材３の縁部３’と上側の屋根材５の湾曲部５ｂの縁部５’に合わせて、それら屋根材３，５の重合部６に挟入している請求項１，２または３記載の屋根の防水構造である。
【００１０】
請求項５記載の本考案は、上記防水弾性被覆板８が上下面に接着層を有し、上記屋根材３，５，……と被覆屋根材９とが該防水弾性被覆板８によって接着されている請求項１，２，３または４記載の屋根の防水構造である。
【考案の効果】
【００１１】
本考案に係る屋根の防水構造は、防水性に優れ、また、熱可塑性ポリオレフィン（ＴＰＯ）帯テープを使用する従来の防水構造に比べてコストが低い。
【考案を実施するための最良の形態】
【００１２】
以下、本考案をその一実施例により説明するが、本考案はこの実施例に限定されない。
【実施例】
【００１３】
この屋根の防水構造は、以下のように施工される。
【００１４】
＜１＞屋根下地１の上に防水層となるアスファルトルーフィング（たとえば、厚手の紙やフェルトなどにアスファルトをしみ込ませ、さらに覆うようにアスファルトを塗り、粘着防止のために粉末にした雲母や粘土などを塗布してシート状にしたもの）２を敷き、接着する。
【００１５】
＜２＞アルミニウム・亜鉛合金めっき鋼板（ＧＬ鋼板），カラーＧＬ鋼板等の、所要幅の鋼板（屋根材）３を、上記アスファルトルーフィング２の上の所要の位置に乗載する。
【００１６】
＜３＞所要の弾性および撥水性を有し、上下面に接着剤層を有する幅１００ｍｍ，厚さ２ｍｍのブチールゴム板（防水弾性挟入板）４を、上記鋼板３上に、その縁部４’を鋼板３の縁部３’に合わせて接着する（図１）。なおブチールゴム板４の幅は適宜変更可能である。また、ブチールゴム以外の他の樹脂製のものとすることもできる。
【００１７】
＜４＞先行して敷設された上記鋼板３に隣接する鋼板（屋根材）５を、その一側の、下面側に重合用空処５ａを形成した湾曲部５ｂを上記ブチールゴム板４の上に重ね、かつ、その湾曲部５ｂの縁部５’を上記ブチールゴム板４の反対側縁部４”に合わせて乗載する（図２）。
そして、両鋼板３，５の間に挟入された上記ブチールゴム板４の上下両面の接着剤層が上記鋼板３，５に確実に接着し漏水が生じないよう、ローラで添圧し、上記鋼板３と鋼板５とを重合部６において接着する。
【００１８】
＜５＞上記鋼板３，５を、上記ブチールゴム板４ごと、それらの重合部６の中心位置において、ビス７または釘などの固定具によって屋根下地１に対して固定する（図３）。
【００１９】
＜６＞上記鋼板３，５の重合部６よりも十分に広い幅でその両面に接着層を有する厚さたとえば１ｍｍの、上記ブチールゴム板４と同じブチールゴム板（防水弾性被覆板）８を、該重合部６を被覆しかつその幅方向両縁を鋼板３，５の上面に密着させて接着する。
さらに、そのブチールゴム板８の上に、上記鋼板３，５と同じ材質からなり、下面側に上記重合部を受け入れる重合部受入空処９ａを有する断面凸型のカバー鋼板９を、その重合部受入空処９ａを上記重合部６に嵌合させて上記ブチールゴム板８に密着させ、上記鋼板３，５とカバー鋼板９とを接着する。
鋼板３および５と上記ブチールゴム板８との接着、また、該ブチールゴム板８とその上のカバー鋼板９との接着を確実に行い、防水機能を十分に奏するよう、ローラで添圧する。
なお、確実な接着のためには温風ヒータ付き圧着ローラを用いるのがさらに好ましい。
【００２０】
上記のようにして施工される本実施例の屋根の防水構造は、互いに隣接して敷設される鋼板（屋根材）３，５の重合部６に防水両面接着ブチールゴム板（防水弾性挟入板）４を挟入するとともに、その重合部６を防水両面接着ブチールゴム板（防水弾性被覆板）８で被覆し、さらにその防水両面接着ブチールゴム板（防水弾性被覆板）８をカバー鋼板（被覆屋根材）９で被覆してなる。
【００２１】
すなわち、上記重合部６は、その両側所要範囲にわたって、防水両面ブチールゴム板４，８によって、内外二重にシールされるので、漏水浸入を確実に防ぎ、防水性に優れる。
さらに、その重合部６の外側（上側）は、上記鋼板３，５と同じ材質であるカバー鋼板９で覆われているので、該重合部６は構造的強度も十分であり、さらに外観体裁も良好である。
【００２２】
上記重合部６に被覆するカバー鋼板９は、従来の防水構造において使用されているＴＰＯ帯テープの如き高価な材料と異なり、比較的安いので、この屋根の防水構造は低コストで仕上げることができる。
【図面の簡単な説明】
【００２３】
【図１】本考案の一実施例に係る屋根の防水構造の施工において、屋根下地の上のアスファルトルーフィングに鋼板を乗載し、その鋼板上にブチールゴム板を接着した状態の縦断面図である。
【図２】先行して敷設された上記鋼板に隣接する鋼板を敷設した状態の縦断面図である。
【図３】上記鋼板とブチールゴム板とが重合した重合部をビスで固定した状態の縦断面図である。
【図４】上記重合部上にブチールゴム板を被覆しさらにその上にカバー鋼板を被覆して接着することにより、防水構造の施工が完了した状態の縦断面図である。
【符号の説明】
【００２４】
１ 屋根下地
２ アスファルトルーフィング
３ 鋼板（屋根材）
４ ブチールゴム板（防水弾性挟入板）
５ 鋼板（屋根材）
６ 重合部
７ ビス（固定具）
８ ブチールゴム板（防水弾性被覆板）
９ カバー鋼板（被覆屋根材）
【図１】
0003125710.tif 000003
【図２】
0003125710.tif 000004
【図３】
0003125710.tif 000005
【図４】
0003125710.tif 000006